(57)【要約】  本発明は、コンピュータシステムのための部品（４０）からなるブレード（１０）であって、コンピュータシステムのラックへと挿入されるように意図されており、コンピュータのラックへの電気的な接続のための手段（２１）を有するフレーム（２０）と、複数の貫通スロット（３１）を有するコンピュータ部品ホルダ（３０）とを備えており、貫通スロット（３１）が、コンピュータ部品（４０）をスロットの長手方向に沿った平行移動によって受け入れるように構成されているブレードに関する。部品ホルダ（３０）は、ホルダがフレームへと実質的に挿入される第１の位置と、ホルダが少なくとも部分的にフレームから取り出され、コンピュータ部品（４０）を前記長手方向に沿った平行移動によって出し入れできるようにすべてのスロット（３１）の鉛直線が各々の長手方向において妨げられることがない第２の位置との間を移動できるように、スライド接続によってフレーム（２０）に対して可動に取り付けられている。
2013522789.tif 000002
【特許請求の範囲】
【請求項１】
コンピュータシステムのための部品（４０）からなり、コンピュータシステムのケースへと挿入されるように構成されているブレード（１０）であって、
コンピュータシステムのケースへの電気的な接続のための手段（２１）を備えているシャシ（２０）と、
複数の開いた場所（３１）を有しており、該場所（３１）がコンピュータ部品（４０）を該場所の長手方向の平行移動にて受け入れるように構成されているコンピュータ部品の支持体（３０）と
を備えており、
部品支持体（３０）が、支持体がシャシへと実質的に挿入される第１の位置と、コンピュータ部品（４０）を各々の場所の前記長手方向の平行移動によって出し入れできるよう、一式の場所（３１）に整列して各々の場所の長手方向に逃げをもたらすべく、支持体が少なくとも部分的にシャシから引き出される第２の位置との間を可動であるように、スライドリンクによってシャシ（２０）に対して取り付けられていることを特徴とする、ブレード。
【請求項２】
各々の場所（３１）が、シャシをケースへと電気的に接続するための手段へと接続されたコネクタ（３２）を有しており、コネクタが、コンピュータ部品の場所への挿入時にコンピュータ部品へと電気的につながるように構成されていることを特徴とする、請求項１に記載のブレード。
【請求項３】
シャシ（２０）が、電子部品のための制御装置（２２）を備えており、該制御装置（２２）が、コンピュータシステムのケースへの電気的な接続のための手段（２１）へと接続され、さらには支持体の場所のコネクタ（３２）へと接続されることを特徴とする、請求項２に記載のブレード。
【請求項４】
場所（３１）のすべての長手方向が、互いに実質的に平行であり、支持体（３０）が、前記すべての方向に対して実質的に垂直な少なくとも１つの電子基板（３３）を有しており、前記基板が、前記コネクタ（３２）の少なくともいくつかを支えていることを特徴とする、請求項２または３に記載のブレード。
【請求項５】
コンピュータシステムのケースへの電気的な接続のための手段（２１）とコネクタ（３２）との間の電気配線のリボン（３５）を備えることを特徴とする、請求項２から４のいずれか一項に記載のブレード。
【請求項６】
場所（３１）が、コンピュータ部品の平行移動を案内するための手段（３６）を有していることを特徴とする、請求項１から５のいずれか一項に記載のブレード。
【請求項７】
シャシと支持体との間のスライドリンクが、シャシと支持体との間に配置されたスライド形成装置（３７、３８）によってもたらされていることを特徴とする、請求項１から６のいずれか一項に記載のブレード。
【請求項８】
シャシに対する支持体の行程を前記第１および前記第２の位置の間からなる経路に制限するために、ストッパ形成手段がスライド形成装置（３７、３８）に設けられていることを特徴とする、請求項７に記載のブレード。
【請求項９】
場所のうちの少なくとも１つが、ハードディスク（４０）を受け入れるように構成されていることを特徴とする、請求項１から８のいずれか一項に記載のブレード。
【請求項１０】
請求項１から９のいずれか一項に記載のブレード（１）を少なくとも１つ備えるコンピュータシステム。
【発明の詳細な説明】
【技術分野】
【０００１】
本発明は、広くには、ブレードをケースに配置してなる構造を有するコンピュータシステムに関する。
【０００２】
さらに詳しくは、本発明は、ハードディスクなどのコンピュータ部品のためのブレードに関する。
【背景技術】
【０００３】
コンピュータシステム全般の分野において、ケースへと挿入されるブレードにもとづくアーキテクチャを有するシステムが知られており、ケースはラックとも呼ばれる。各々のブレードは、ハードディスクや電子基板などといったいくつかのコンピュータ部品を有している。ブレードは、ラックへと挿入され、ラックが、ブレードを挿入するための案内手段と、各々のブレードを電気的に接続するためにラックの後面に並べて配置されたコネクタとを有している。ブレードが、ラックのコネクタと協働するように構成された接続領域を後縁に有している。
【０００４】
ブレードのうちの１つにおいてコンピュータ部品の交換が必要である場合、ブレード全体を引き出さなければならず、したがって介入時間中は、コンピュータシステムが該当のブレードのほかの部品を利用することができない。
【０００５】
これを軽減するために、コンピュータ部品を、ブレードの前縁に開いた区画に配置することが提案されている。この技術的解決策は、区画に配置されたコンピュータ部品の「活線」交換を可能にし、すなわちブレードのすべての部品を使用不可能にしなくても交換できるようにする。しかしながら、前部の区画にそのように配置することができる部品の数は、ラックのサイズによって決定付けられるブレードの前縁の面積によって制限され、ラックのサイズ自体は規格化されている。さらに、この技術的解決策では、区画の後方に位置するブレードのいくつかの部品は、依然としてブレードを取り外さない限りはアクセスが不可能である。
【発明の概要】
【発明が解決しようとする課題】
【０００６】
本発明は、これらの欠点の軽減を目的とする。この目的のため、本発明は、コンピュータシステムのための部品からなり、コンピュータシステムのケースへと挿入されるように構成されているブレードを提供し、このブレードは、コンピュータシステムのケースへの電気的な接続のための手段を備えているシャシと、複数の開いた場所を有しており、該場所がコンピュータ部品を該場所の長手方向の平行移動にて受け入れるように構成されているコンピュータ部品の支持体とを備えており、部品支持体が、支持体がシャシへと実質的に挿入される第１の位置と、支持体が少なくとも部分的にシャシから引き出されることで、コンピュータ部品を各々の場所の前記長手方向の平行移動によって出し入れできるように、一式の場所に整列して各々の場所の長手方向に逃げがもたらされる第２の位置との間を可動であるように、スライドリンクによってシャシに対して取り付けられている。
【課題を解決するための手段】
【０００７】
好都合なことに、本発明によるブレードは、同じブレードにおいてブレードをケースから抜き出すことなく交換することができる部品の数を最大にすることを可能にする。これは、システムについての作業時間が抑えられる点、およびブレードの残りの部品が介入の最中も稼働を続け、コンピュータシステムの性能への影響が最小限である点で、生産性の向上をもたらすほか、部品の密度を高め、ブレードの有効体積をより大きくする。用語「高い部品の密度」および部品の「活線」での取り外しは、この文脈において使用される。
【０００８】
組み合わせることが可能である本発明の好都合な特徴によれば：
各々の場所が、シャシをケースへと電気的に接続するための手段へと接続されたコネクタを有しており、コネクタが、コンピュータ部品の場所への挿入時にコンピュータ部品へと電気的につながるように構成される。
シャシが、電子部品のための制御装置を備えており、該制御装置が、コンピュータシステムのケースへの電気的な接続のための手段へと接続され、さらには支持体の場所のコネクタへと接続される。
場所の長手方向が、互いに実質的に平行であり、支持体が、前記すべての方向に対して実質的に垂直な少なくとも１つの電子基板を有しており、前記基板が、前記コネクタの少なくともいくつかを支えている。
ブレードが、コンピュータシステムのケースへの電気的な接続のための手段とコネクタとの間の電気配線のリボンを備える。
場所が、コンピュータ部品の平行移動を案内するための手段を有する。
シャシと支持体との間のスライドリンクが、シャシと支持体との間に配置されたスライド形成装置によってもたらされる。
シャシに対する支持体の行程を前記第１および前記第２の位置の間からなる経路に制限するために、ストッパ形成手段がスライド形成装置に設けられる。
場所のうちの少なくとも１つが、ハードディスクを受け入れるように構成される。
【０００９】
別の態様によれば、本発明は、上述のようなブレードを少なくとも１つ備えるコンピュータシステムに関する。
【００１０】
本発明を、あくまでも本発明を限定するものではない説明用の例として添付の図面を参照しつつ提示される本発明の典型的な実施の形態についての以下の説明を検討することによって、よりよく理解できるであろう。
【図面の簡単な説明】
【００１１】
【図１】本発明によるブレードの側面図である。
【図２】同じブレードの上方からの図である。
【図３】同じブレードの後面図である。
【図４】部品を引き出すための位置にある同じブレードの側面図である。
【発明を実施するための形態】
【００１２】
図１にさらに詳しく見て取ることができるとおり、本発明によるコンピュータシステムのための部品４０のブレード１０は、コンピュータシステムのケース（図示せず）へと挿入されるように寸法付けられている。
【００１３】
ブレードは、コンピュータシステムのケースへの電気的な接続のための手段を有しているシャシ２０を備えている。これは、実際には、コンピュータシステムのケース（図示せず）に配置された雌のコネクタと協働するように構成された雄のコネクタ２１である。
【００１４】
さらにブレードは、特に図２に見て取ることができるとおり、コンピュータ部品４０のための１２個の場所３１を形成するバックプレーンアーキテクチャを有するコンピュータ部品のための支持部３０を備えている。
【００１５】
図１および図４において見て取ることができるとおり、支持部３０は、シャシ２０に対してスライドリンクを介して可動に取り付けられている。
【００１６】
各々の場所３１は、その後方に、部品の支持部の後部において各々の場所３１の長手方向に実質的に垂直に配置された電子基板３３によって保持されたコネクタ３２を有している。電子基板３３は、すべての電子装置コネクタ３２の接続を１つにまとめるコネクタ３４を有している。次いで、コネクタ３４が、複数の電気配線からなるリボン３５を使用して、シャシの電子基板２２に配置されたコネクタ２４へと接続される。シャシの電子基板２２が、リボン３５を介してシャシの電子基板２２へと接続された種々の電子部品のための制御装置を構成する。さらに電子基板２２は、ブレードをコンピュータシステムのケースへと接続するように構成されたコネクタ２１を有している。これを、図１および図２においてさらに詳しく見て取ることができる。
【００１７】
シャシ２０と支持部３０との間のスライドリンクは、シャシと支持部との間に配置された６つのスライド形成装置によってもたらされている。これらは、平行移動において支持体３０の重量を支えるように設計された２つの下側スライド３７と、シャシ２０において支持体３０の側方を案内するように設計された４つのスライド３８とを備えている。
【００１８】
スライド３８の各々は、シャシ２０に対して固定されたレール３８Ａと、支持体３０へと固定され、レール３８Ａとスライドリンクを形成するように取り付けられたレール３８Ｂとで構成されている。
【００１９】
好都合には、スライド３８が、支持体３０のシャシ２０に対する平行移動を制限するためのストッパ形成手段（図示せず）を有している。
【００２０】
同様に、スライド３７の各々も、シャシ２０に対して固定されたレール３７Ａと、支持体３０へと固定され、レール３７Ａとスライドリンクを形成するように取り付けられたレール３７Ｂとで構成されている。
【００２１】
それ自身は当業者にとって公知のとおり、レール３７Ａ、３７Ｂ、３８Ａ、３８Ｂは、ボールベアリングや例えばテフロン（登録商標）などのきわめて適切な摩擦係数を有する材料から形成されたスキッドなど、レール間の摩擦を軽減する部品を備えることができる。場所３１の各々は、その側壁に、この例ではハードディスク４０を平行移動にて受け入れ、ハードディスク４０が各々の場所３１に挿入されたときにコネクタ３２に電気的につながることを保証するように構成された案内手段を備えている。この例では、案内手段が、市販の２．５インチのハードディスクを案内するように寸法付けられたレール３６である。
【００２２】
したがって、図２にさらに詳しく見て取ることができるとおり、本発明によるブレード１０は、ブレードをコンピュータシステムのケースから切り離すことなく交換することができる部品４０の数量を大幅に増やすことを可能にする。同じ外寸を有するブレードにおいて、本発明が、ブレードを取り外すことなく外部からアクセスすることができる１２個の場所３１を提供する一方で、前部区画を有する公知の技術的解決策においては、同等の区画の数が６つに限られる。したがって、活線交換可能なコンピュータ部品（ここでは、市場で入手できる２．５インチのハードディスク）の密度が、本発明によるブレードにおいては２倍になる。これにより、単一ブレードにおける部品の密度が大幅に高められる。
【００２３】
図４にさらに詳しく見て取ることができるとおり、部品４０を支持体３０から取り出すことが望まれる場合、スライド３７および３８の助けによって引き出しのようにシャシ２０に対して平行移動させれば充分である。リボン３５が、この移動に追従する。次いで、該当の部品４０を、図４に見て取ることができるとおり上方から容易に取り出すことができる。
【００２４】
ここでは、コネクタ３４が、基板３３のコネクタ２４に最も近い端部に配置されている。
【００２５】
好都合には、図示されていない実施の形態においては、コネクタ３４が基板３３の実質的に真ん中に配置されることで、リボン３５に必要な長さが短くなり、電気信号の品質が向上するとともに、製造コストが低くなる。
【００２６】
当然ながら、本発明の技術的範囲から外れることなく、上述の実施の形態に対して多数の変更を行なうことが可能である。
【図１】
2013522789.tif 000003
【図２】
2013522789.tif 000004
【図３】
2013522789.tif 000005
【図４】
2013522789.tif 000006
【国際調査報告】
2013522789.tif 000007
2013522789.tif 000008
2013522789.tif 000009
2013522789.tif 000010